【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
第１の支払いカード保有者から第２の支払いカード保有者へ資金を移転する、複数の端末のネットワークを有するコンピュータシステムによって実行される方法であって、前記第１の支払いカード保有者は第１の商売人のところにおり、及び第２の支払いカード保有者は第２の商売人のところにおり、
資金の移転が前記第２のカード保有者に要求される表示を前記第１の商売人のところの前記第１のカード保有者から受信すること、
前記第１の商売人と前記第１のカード保有者との間の、ネットワーク化された端末での第１の支払カード取引を生成し、ここで前記第１の支払いカード取引は第１の即時の移転であり、前記第１のカード保有者からの前記資金を借方に記入し、及び前記第１の商売人への前記資金を貸方に記入すること、
前記第２の商売人と前記第２のカード保有者との間の、ネットワーク化された端末での第２の支払カード取引を生成し、ここで前記第２の支払いカード取引は第２の即時の移転であり、前記第２の商売人からの前記資金を借方に記入し、及び前記第２のカード保有者への前記資金を貸方に記入すること、及び
前記第１の商売人の前記貸方と前記第２の商売人の前記借方を合算するために、前記第１の支払カード取引及び前記第２の支払カード取引を前記ネットワークを介してホストへ通信すること
を特徴とする方法。
【請求項２】
前記第１の支払いカード取引を生成する前に、前記第１の支払いカード取引について認可を得る開始ステップを含む、請求項１に記載の方法。
【請求項３】
前記表示は、前記第１のカード保有者の支払いカード詳細及び／又は前記第２のカード保有者の支払いカード詳細を識別する、請求項１又は２に記載の方法。
【請求項４】
前記表示は、前記第１のカード保有者のための識別子及び／又は前記第２のカード保有者のための第２の識別子を含み、それによってこれら識別子が、カード保有者のデータベースから前記第１の支払カード保有者及び／又は前記第２の支払カード保有者の前記カード詳細、及びそれらに関連付けられた識別子を得るために使用されてよい、請求項１又は２に記載の方法。
【請求項５】
移転されるべき資金の額に関連付けられた前記正の量及び／又は負の量が、移転されるべき資金の額に等しくてよく、又は移転されるべき資金の額に適用されるサービス料金を含んでよい、請求項１〜４のいずれか一項に記載の方法。
【請求項６】
前記第１の支払いカード取引の通貨が、前記第１のカード保有者の支払カード口座の通貨であり、及び前記第２の支払カード取引が、前記第１及び第２のカード保有者の支払カード口座が異なるところの環境において、前記第２のカード保有者の支払カード口座の通貨で実行される、請求項１〜５のいずれか一項に記載の方法。
【請求項７】
前記カード保有者から表示を受信するステップが、コンピュータネットワークを介して実行される、請求項１〜６のいずれか一項に記載の方法。
【請求項８】
前記第１のカード保有者から表示を受信するステップが、電話を介して実行される、請求項１〜６のいずれか一項に記載の方法。
【請求項９】
前記第１の商売人及び第２の商売人が同じである、請求項１〜８のいずれか一項に記載の方法。
【請求項１０】
前記第１の商売人及び第２の商売人が関連付けられているが、しかし同じでない、請求項１〜８のいずれか一項に記載の方法。
【請求項１１】
前記第１の商売人が、前記第１のカード保有者の国に居住し、及び前記第２の商売人が前記第２のカード保有者の国に位置される、請求項１０に記載の方法。
【請求項１２】
前記第２のカード保有者の前記詳細から適切な第２の商売人を識別するステップをさらに含む、請求項１〜１１のいずれか一項に記載の方法。
【請求項１３】
前記第１のカード保有者の前記カード詳細から適切な第１の商売人を識別するステップをさらに含む、請求項１〜１２のいずれか一項に記載の方法。
【請求項１４】
第１の商売人と第３のカード保有者との間の第３の支払いカード取引を生成するステップを含み、前記第３のカード保有者及び前記第２の商売人が、特定の国に適切に共在住する同じ実体の関連付けられた口座である、請求項１〜１３のいずれか一項に記載の方法。
【請求項１５】
第１の支払いカード保有者から第２の支払いカード保有者へ資金を移転するためのシステムであって、前記第１の支払いカード保有者は第１の商売人のところにおり、及び第２の支払いカード保有者は第２の商売人のところにおり、
複数の端末のネットワーク、
資金の移転が前記第２のカード保有者に要求される表示を前記第１の商売人のところの前記第１のカード保有者から受信する手段、
前記第１の商売人と前記第１のカード保有者との間の、ネットワーク化された端末での第１の支払カード取引を生成し、ここで前記第１の支払いカード取引は第１の即時の移転であり、前記第１のカード保有者からの前記資金を借方に記入し、及び前記第１の商売人への前記資金を貸方に記入する手段、
前記第２の商売人と前記第２のカード保有者との間の、ネットワーク化された端末での第２の支払カード取引を生成し、ここで前記第２の支払いカード取引は第２の即時の移転であり、前記第２の商売人からの前記資金を借方に記入し、及び前記第２のカード保有者への前記資金を貸方に記入する手段、及び
前記第１の商売人の前記貸方と前記第２の商売人の前記借方を合算するために、前記第１の支払カード取引及び前記第２の支払カード取引を前記ネットワークを介してホストへ通信する手段
を特徴とするシステム。
【請求項１６】
前記第１の支払いカード取引を生成する前に、前記第１の商売人と前記第１のカード保有者との間で前記支払いカード取引について認可を得るための手段を含む、請求項１５に記載のシステム。
【請求項１７】
カード保有者情報のデータベースを更に含み、前記データベース中の個々の記録がカード保有者の詳細及び関連付けられた識別子を含む、請求項１５に記載のシステム。
【請求項１８】
前記システムが、前記データベースからのカード保有者詳細を、前記第１の取引及び／又は前記第２の取引を生成するために用意された識別子から抽出するように適合されている、請求項１７に記載のシステム。
【請求項１９】
前記システムが、前記第１の取引及び／又は前記第２の取引で変動通貨変換を実行するように適合されている、請求項１５〜１８のいずれか一項に記載のシステム。
【請求項２０】
前記システムが、コンピュータネットワークを介して前記カード保有者から表示を受信するように適合されている、請求項１５〜１９のいずれか一項に記載のシステム。
【請求項２１】
前記システムが、電話を介して前記第１のカード保有者から表示を受信するように適合されている、請求項１５〜１９のいずれか一項に記載のシステム。
【請求項２２】
前記システムが、カード番号又はカード番号の範囲を少なくとも１つの商売人に関連付けるデータベースを含む、請求項１５〜２１のいずれか一項に記載のシステム。
【請求項２３】
前記システムが、前記第１のカード保有者の前記カード詳細を前記データベース中の項目と比較することによって、前記第１の取引において使用するための適切な商売人を決定するように適合されている、請求項２２に記載のシステム。
【請求項２４】
前記システムが、前記第２のカード保有者の前記カード詳細を前記データベース中の項目と比較することによって、前記第２の取引において使用するための適切な商売人を決定するように適合されている、請求項２２に記載のシステム。
【請求項２５】
コンピュータシステムに請求項１〜１４のいずれか一項に記載の方法を実行させるための、商売人端末に埋め込まれたプログラムコードを含むコンピュータプログラム製品。
【請求項２６】
コンピュータシステムに請求項１〜１４のいずれか一項に記載の方法を実行させるための、ホストに埋め込まれたプログラムコードを含むコンピュータプログラム製品。
【請求項２７】
第１の支払いカード保有者から第２の支払いカード保有者へ資金を移転する、複数の端末のネットワークを有するコンピュータシステムによって実行される方法であって、前記第１の支払いカード保有者は第１の商売人のところにおり、及び第２の支払いカード保有者は第２の商売人のところにおり、
資金の移転が前記第２のカード保有者に要求される表示を前記第１の商売人のところの前記第１のカード保有者から受信すること、
前記第１の商売人と前記第１のカード保有者との間の、ネットワーク化された端末での第１の支払カード取引を生成し、ここで前記第１の支払いカード取引は第１の即時の移転であり、前記第１のカード保有者からの前記資金を借方に記入し、及び前記第１の商売人への前記資金を貸方に記入すること、及び
前記第２の商売人と前記第２のカード保有者との間で第２の支払取引を生成し、ここで前記第２の支払取引が小切手であり、前記第２の商売人からの前記資金を借方に記入し、及び前記第２のカード保有者への前記資金を貸方に記入すること、
を特徴とする方法。
【請求項２８】
第１の支払いカード保有者から第２の支払いカード保有者へ資金を移転するためのシステムであって、前記第１の支払いカード保有者は第１の商売人のところにおり、及び第２の支払いカード保有者は第２の商売人のところにおり、
複数の端末のネットワーク、
資金の移転が前記第２のカード保有者に要求される表示を前記第１の商売人のところの前記第１のカード保有者から受信する手段、
前記第１の商売人と前記第１のカード保有者との間の、ネットワーク化された端末での第１の支払カード取引を生成し、ここで前記第１の支払いカード取引は第１の即時の移転であり、前記第１のカード保有者からの前記資金を借方に記入し、及び前記第１の商売人への前記資金を貸方に記入する手段、及び
第２の商売人と前記第２のカード保有者との間での第２の支払取引を生成し、ここで前記第２の支払取引が小切手であり、前記第２の商売人からの前記資金を借方に記入し、及び前記第２のカード保有者への前記資金を貸方に記入する手段
を特徴とするシステム。
【手続補正２】
【補正対象書類名】明細書
【補正対象項目名】０００８
【補正方法】変更
【補正の内容】
【０００８】
これら必要性及び他のものは、第１の態様が第１の支払いカード保有者から第２の支払いカード保有者へ資金を移転する、複数の端末のネットワークを有するコンピュータシステムによって実行される方法であって、前記第１の支払いカード保有者は第１の商売人のところにおり、及び第２の支払いカード保有者は第２の商売人のところにおり、資金の移転が前記第２のカード保有者に要求される表示を前記第１の商売人のところの前記第１のカード保有者から受信すること、前記第１の商売人と前記第１のカード保有者との間の、ネットワーク化された端末での第１の支払カード取引を生成し、ここで前記第１の支払いカード取引は第１の即時の移転であり、前記第１のカード保有者からの前記資金を借方に記入し、及び前記第１の商売人への前記資金を貸方に記入すること、前記第２の商売人と前記第２のカード保有者との間の、ネットワーク化された端末での第２の支払カード取引を生成し、ここで前記第２の支払いカード取引は第２の即時の移転であり、前記第２の商売人からの前記資金を借方に記入し、及び前記第２のカード保有者への前記資金を貸方に記入すること、及び前記第１の商売人の前記貸方と前記第２の商売人の前記借方を合算するために、前記第１の支払カード取引及び前記第２の支払カード取引を前記ネットワークを介してホストへ通信することを特徴とする方法を提供するところの本発明によって満たされるだろう。
【手続補正３】
【補正対象書類名】明細書
【補正対象項目名】００２１
【補正方法】変更
【補正の内容】
【００２１】
本発明の更なる実施態様は、第１の支払いカード保有者から第２の支払いカード保有者へ資金を移転するためのシステムであって、前記第１の支払いカード保有者は第１の商売人のところにおり、及び第２の支払いカード保有者は第２の商売人のところにおり、複数の端末のネットワーク、資金の移転が前記第２のカード保有者に要求される表示を前記第１の商売人のところの前記第１のカード保有者から受信する手段、前記第１の商売人と前記第１のカード保有者との間の、ネットワーク化された端末での第１の支払カード取引を生成し、ここで前記第１の支払いカード取引は第１の即時の移転であり、前記第１のカード保有者からの前記資金を借方に記入し、及び前記第１の商売人への前記資金を貸方に記入する手段、前記第２の商売人と前記第２のカード保有者との間の、ネットワーク化された端末での第２の支払カード取引を生成し、ここで前記第２の支払いカード取引は第２の即時の移転であり、前記第２の商売人からの前記資金を借方に記入し、及び前記第２のカード保有者への前記資金を貸方に記入する手段、及び前記第１の商売人の前記貸方と前記第２の商売人の前記借方を合算するために、前記第１の支払カード取引及び前記第２の支払カード取引を前記ネットワークを介してホストへ通信する手段を特徴とするシステムを提供する。
【手続補正４】
【補正対象書類名】明細書
【補正対象項目名】００５６
【補正方法】変更
【補正の内容】
【００５６】
その後、ホストは第２の商売人を決定してよく123、それは第２の取引を第２のカード保有者で処理するために適している。該決定は、第１のカード保有者が決定された同じ様式で実行されてよい。一旦適切な第２の商売人が決定されると、ホストは、移転されるべき資金の額に等価な量について、第２の商売人と第２のカード保有者との間の第２の取引を生成してよい125。この量は、コミッションを差し引いてもよく又はしなくてよい。この量は、それが第２のカード保有者の口座への資金の貸方を事実上表す故に正の量としてみなされてよい。